(57)【特許請求の範囲】
【請求項１】
ＭＰＥＧ−２トランスポートストリームを入出力する入出力手段と、
撮像手段と、
前記撮像手段による撮影映像から生成されたＭＰＥＧ−２プログラムストリーム又は前記入出力手段から入力された前記ＭＰＥＧ−２トランスポートストリームから変換された前記ＭＰＥＧ−２プログラムストリームをランダムアクセス可能な記録媒体に記録再生する記録再生手段と、
前記ＭＰＥＧ−２トランスポートストリームを前記ＭＰＥＧ−２プログラムストリームに変換し、前記ＭＰＥＧ−２プログラムストリームを前記ＭＰＥＧ−２トランスポートストリームに変換する変換手段とを具備する撮像装置であって、
前記変換手段が、
前記ＭＰＥＧ−２トランスポートストリームをビデオＰＥＳに変換するＰＥＳ／ＴＳ変換部と、前記ビデオＰＥＳをデコードしてビデオデータに変換するデコーダと、前記ビデオデータをエンコードして前記ビデオＰＥＳに変換するエンコーダとを有し、
前記入出力手段から入力された前記ＭＰＥＧ−２トランスポートストリームを前記ＭＰＥＧ−２プログラムストリームに変換する場合に、
使用者から画素数とフレームレートの少なくとも一つを変更する指示を受けつけている状態のときには、前記入出力手段から入力された前記ＭＰＥＧ−２トランスポートストリームを前記ＰＥＳ／ＴＳ変換部及び前記デコーダによって前記ビデオデータまで変換して、画素数とフレームレートの少なくとも一つを変更する処理を行った後、前記エンコーダによって当該ビデオデータをエンコードして、前記エンコーダから出力される前記ビデオＰＥＳを前記ＭＰＥＧ−２プログラムストリームに変換し、
使用者から画素数とフレームレートの少なくとも一つを変更する指示を受けつけていない状態のときには、前記入出力手段から入力された前記ＭＰＥＧ−２トランスポートストリームを前記ＰＥＳ／ＴＳ変換部によって前記ビデオＰＥＳに変換して、前記ＰＥＳ／ＴＳ変換部から出力される前記ビデオＰＥＳを前記ＭＰＥＧ−２プログラムストリームに変換することを特徴とする撮像装置。
【発明の詳細な説明】
【技術分野】
【０００１】
本発明は、デジタルビデオカメラなどの撮像装置に関する。
【背景技術】
【０００２】
ＭＰＥＧ−２  Ｓｙｓｔｅｍｓ（参考文献：ＩＳＯ／ＩＥＣ  １３８１８−１：２０００，Ｉｎｆｏｒｍａｔｉｏｎ  ｔｅｃｈｎｏｌｏｇｙ−−Ｇｅｎｅｒｉｃ  ｃｏｄｉｎｇ  ｏｆ  ｍｏｖｉｎｇ  ｐｉｃｔｕｒｅｓ  ａｎｄ  ａｓｓｏｃｉａｔｅｄ  ａｕｄｉｏ  ｉｎｆｏｒｍａｔｉｏｎ：  Ｓｙｓｔｅｍｓ）では、ＰＳ（ｐｒｏｇｒａｍ  ｓｔｒｅａｍ。以下、「ＭＰＥＧ−２ＰＳ」と呼ぶ。）、ＴＳ（ｔｒａｎｓｐｏｒｔ  ｓｔｒｅａｍ。以下、「ＭＰＥＧ−２ＴＳ」と呼ぶ。）及びＰＥＳ（ｐａｃｋｅｔｉｚｅｄ  ｅｌｅｍｅｎｔａｒｙ  ｓｔｒｅａｍ）を規定している。
【０００３】
また、従来の記録装置には、ＭＰＥＧ−２ＴＳをＭＰＥＧ−２ＰＳに変換してディスク媒体に記録する機能を有するものが提案されている（例えば、特許文献１）。また、従来の記録装置には、アナログビデオ信号及びアナログオーディオ信号をＭＰＥＧ−２ＰＳに変換してディスク媒体に記録する機能を有するものが提案されている（例えば、特許文献１）。
【特許文献１】特開２０００−１３８８９６号公報
【発明の開示】
【発明が解決しようとする課題】
【０００４】
近年のデジタルビデオカメラには、以下の４つの機能が求められている。
（１）ＭＰＥＧ−２ＴＳを入出力し、ＭＰＥＧ−２ＰＳをランダムアクセス可能な記録媒体に記録再生する機能。
（２）撮影映像及び入力音声からＭＰＥＧ−２ＰＳ及びＭＰＥＧ−２ＴＳを生成し、ＭＰＥＧ−２ＰＳをランダムアクセス可能な記録媒体に記録するとともに、ＭＰＥＧ−２ＴＳを外部に出力する機能。
（３）アナログビデオ信号及びアナログオーディオ信号からＭＰＥＧ−２ＰＳ及びＭＰＥＧ−２ＴＳを生成し、ＭＰＥＧ−２ＰＳをランダムアクセス可能な記録媒体に記録するとともに、ＭＰＥＧ−２ＴＳを外部に出力する機能。
（４）ランダムアクセス可能な記録媒体から再生されたＭＰＥＧ−２ＰＳをＭＰＥＧ−２ＴＳに変換して外部に出力する機能。
（５）外部から入力したＭＰＥＧ−２ＴＳをＭＰＥＧ−２ＰＳに変換してランダムアクセス可能な記録媒体に記録する機能。
【０００５】
しかしながら、従来のデジタルビデオカメラには、上記の機能を有するものはなかった。
【０００６】
本発明は、上記の機能の少なくとも一つを有する撮像装置を提供することを目的とする。
【課題を解決するための手段】
【０００７】
本発明の撮像装置は、ＭＰＥＧ−２トランスポートストリームを入出力する入出力手段と、撮像手段と、前記撮像手段による撮影映像から生成されたＭＰＥＧ−２プログラムストリーム又は前記入出力手段から入力された前記ＭＰＥＧ−２トランスポートストリームから変換された前記ＭＰＥＧ−２プログラムストリームをランダムアクセス可能な記録媒体に記録再生する記録再生手段と、前記ＭＰＥＧ−２トランスポートストリームを前記ＭＰＥＧ−２プログラムストリームに変換し、前記ＭＰＥＧ−２プログラムストリームを前記ＭＰＥＧ−２トランスポートストリームに変換する変換手段とを具備する撮像装置であって、前記変換手段が、前記ＭＰＥＧ−２トランスポートストリームをビデオＰＥＳに変換するＰＥＳ／ＴＳ変換部と、前記ビデオＰＥＳをデコードしてビデオデータに変換するデコーダと、前記ビデオデータをエンコードして前記ビデオＰＥＳに変換するエンコーダとを有し、前記入出力手段から入力された前記ＭＰＥＧ−２トランスポートストリームを前記ＭＰＥＧ−２プログラムストリームに変換する場合に、使用者から画素数とフレームレートの少なくとも一つを変更する指示を受けつけている状態のときには、前記入出力手段から入力された前記ＭＰＥＧ−２トランスポートストリームを前記ＰＥＳ／ＴＳ変換部及び前記デコーダによって前記ビデオデータまで変換して、画素数とフレームレートの少なくとも一つを変更する処理を行った後、前記エンコーダによって当該ビデオデータをエンコードして、前記エンコーダから出力される前記ビデオＰＥＳを前記ＭＰＥＧ−２プログラムストリームに変換し、使用者から画素数とフレームレートの少なくとも一つを変更する指示を受けつけていない状態のときには、前記入出力手段から入力された前記ＭＰＥＧ−２トランスポートストリームを前記ＰＥＳ／ＴＳ変換部によって前記ビデオＰＥＳに変換して、前記ＰＥＳ／ＴＳ変換部から出力される前記ビデオＰＥＳを前記ＭＰＥＧ−２プログラムストリームに変換することを特徴とする。
【発明の効果】
【００１１】
本発明によれば、ＭＰＥＧ−２ＴＳの入出力が可能であり、ＭＰＥＧ−２ＰＳの記録再生が可能である撮像装置を提供でき、さらにＭＰＥＧ−２ＴＳからＭＰＥＧ−２ＰＳに変換する際に、画素数とフレームレートの少なくとも一つを変更することができる。
【発明を実施するための最良の形態】
【００１５】
以下、図面を参照し、本発明に好適な実施の形態を説明する。本発明に好適な実施の形態では、ＭＰＥＧ−２  Ｓｙｓｔｅｍｓで規定されたＰＳ、ＴＳ及びＰＥＳを使用する形態を説明する。
【００１６】
［第１の実施の形態］
まず、図１を参照し、第１の実施の形態における撮像装置であるＤＶＣ（デジタルビデオカメラ）１０の主要な構成要素を説明する。
【００１７】
カメラ部１０１は、撮影映像からビデオデータを生成する処理を行うユニットである。マイクロフォン部１０２は、入力音声からオーディオデータを生成する処理を行うユニットである。
【００１８】
ＡＶエンコーダ１０３は、カメラ部１０１又はアナログビデオＩ／Ｏ部１１５から出力されたビデオデータをビデオＥＳ（ｖｉｄｅｏ  ｅｌｅｍｅｎｔａｒｙ  ｓｔｒｅａｍ）にエンコードし、そのビデオＥＳをビデオ用のＰＥＳ（以下、ビデオＰＥＳ）に変換する処理と、マイクロフォン部１０２又はアナログオーディオＩ／Ｏ部１１６から出力されたオーディオデータをオーディオＥＳ（ａｕｄｉｏ  ｅｌｅｍｅｎｔａｒｙ  ｓｔｒｅａｍ）にエンコードし、そのオーディオＥＳをオーディオ用のＰＥＳ（以下、オーディオＰＥＳ）に変換する処理とを行うユニットである。
【００１９】
なお、ビデオＥＳの生成に使用されるビデオ符号化方式は、ＭＰＥＧ−２  Ｖｉｄｅｏ（参考文献：ＩＳＯ／ＩＥＣ  １３８１８−２：２０００，Ｉｎｆｏｒｍａｔｉｏｎ  ｔｅｃｈｎｏｌｏｇｙ−−Ｇｅｎｅｒｉｃ  ｃｏｄｉｎｇ  ｏｆ  ｍｏｖｉｎｇ  ｐｉｃｔｕｒｅｓ  ａｎｄ  ａｓｓｏｃｉａｔｅｄ  ａｕｄｉｏ  ｉｎｆｏｒｍａｔｉｏｎ：Ｖｉｄｅｏ）である。また、オーディオＥＳの生成に使用されるオーディオ符号化方式は、ＭＰＥＧ−２  Ａｕｄｉｏ  ＢＣ（参考文献：ＩＳＯ／ＩＥＣ  １３８１８−３：１９９８，Ｉｎｆｏｒｍａｔｉｏｎ  ｔｅｃｈｎｏｌｏｇｙ  −−  Ｇｅｎｅｒｉｃ  ｃｏｄｉｎｇ  ｏｆ  ｍｏｖｉｎｇ  ｐｉｃｔｕｒｅｓ  ａｎｄ  ａｓｓｏｃｉａｔｅｄ  ａｕｄｉｏ  ｉｎｆｏｒｍａｔｉｏｎ−−Ｐａｒｔ  ３：Ａｕｄｉｏ）、ＭＰＥＧ−２  Ａｕｄｉｏ  ＬＳＦ（参考文献：ＩＳＯ／ＩＥＣ  １３８１８−３：１９９８）又はＭＰＥＧ−２  Ａｕｄｉｏ  ＡＡＣ（参考文献：ＩＳＯ／ＩＥＣ  １３８１８−７：１９９７，Ｉｎｆｏｒｍａｔｉｏｎ  ｔｅｃｈｎｏｌｏｇｙ−−Ｇｅｎｅｒｉｃ  ｃｏｄｉｎｇ  ｏｆ  ｍｏｖｉｎｇ  ｐｉｃｔｕｒｅｓ  ａｎｄ  ａｓｓｏｃｉａｔｅｄ  ａｕｄｉｏ  ｉｎｆｏｒｍａｔｉｏｎ−−Ｐａｒｔ  ７：Ａｄｖａｎｃｅｄ  Ａｕｄｉｏ  Ｃｏｄｉｎｇ（ＡＡＣ））である。
【００２０】
ＰＥＳ／ＰＳ変換部１０４は、ＡＶエンコーダ１０３又はＰＥＳ／ＴＳ変換部１１０から出力されたビデオＰＥＳ及びオーディオＰＥＳをＭＰＥＧ−２ＰＳ（ＭＰＥＧ−２  ｐｒｏｇｒａｍ  ｓｔｒｅａｍ）に変換する処理と、記録再生部１０５から出力されたＭＰＥＧ−２ＰＳをビデオＰＥＳ及びオーディオＰＥＳに変換する処理を行うユニットである。
【００２１】
記録再生部１０５は、ＰＥＳ／ＰＳ変換部１０４から出力されたＭＰＥＧ−２ＰＳを記録媒体１０６に記録する処理と、制御部１１４から通知されたＭＰＥＧ−２ＰＳを記録媒体１０６から再生する処理とを行うユニットである。記録媒体１０６は、ディスク媒体などのランダムアクセス可能な記録媒体である。
【００２２】
ＡＶデコーダ１０７は、ＡＶエンコーダ１０３又はＰＥＳ／ＰＳ変換部１０４から出力されたビデオＰＥＳをビデオＥＳに変換し、そのビデオＥＳをビデオデータにデコードする処理と、ＡＶエンコーダ１０３又はＰＥＳ／ＰＳ変換部１０４から出力されたオーディオＰＥＳをオーディオＥＳに変換し、そのオーディオＥＳをオーディオデータにデコードする処理とを行うユニットである。
【００２３】
表示部１０８は、カメラ部１０１又はＡＶデコーダ１０７から出力されたビデオデータを表示する処理を行うユニットである。スピーカ部１０９は、マイクロフォン部１０２又はＡＶデコーダ１０７から出力されたオーディオデータを出力する処理を行うユニットである。
【００２４】
ＰＥＳ／ＴＳ変換部１１０は、ＡＶエンコーダ１０３又はＰＥＳ／ＰＳ変換部１０４から出力されたビデオＰＥＳ及びオーディオＰＥＳをＭＰＥＧ−２ＴＳに変換する処理と、デジタル通信部１１１から出力されたＭＰＥＧ−２ＴＳをビデオＰＥＳ及びオーディオＰＥＳに変換する処理とを行うユニットである。
【００２５】
デジタル通信部１１１は、ＰＥＳ／ＴＳ変換部１１０から出力されたＭＰＥＧ−２ＴＳを外部に出力する処理と、外部からＭＰＥＧ−２ＴＳを入力する処理とを行うユニットである。なお、デジタル通信部１１１は、ＩＥＥＥ１３９４規格（ＩＥＥＥ１３９４−１９９５、ＩＥＥＥ１３９４ａ−２０００及びそれらの拡張規格を含む）に準拠したものであっても、ＵＳＢ規格（ＵＳＢ２．０及びその拡張規格を含む）に準拠したものであってもよい。
【００２６】
メモリ１１２は、制御部１１４が使用者の指示に従って生成したプレイリストを記憶するメモリである。プレイリストとは、記録媒体１０６に記録されている複数のＭＰＥＧ−２ＰＳの再生方法を指定したリストである。例えば、複数のＭＰＥＧ−２ＰＳの再生順序、各ＭＰＥＧ−２ＰＳの再生開始点及び再生終了点などの指定が可能である。
【００２７】
操作部１１３は、使用者の指示を制御部１１４に通知するユニットである。制御部１１４は、ＤＶＣ１０の各機能の制御などを行うユニットである。
【００２８】
アナログビデオＩ／Ｏ部１１５は、外部から入力されたアナログビデオ信号をビデオデータに変換する処理と、カメラ部１０１又はＡＶデコーダ１０６から出力されたビデオデータをアナログビデオ信号に変換する処理とを行うユニットである。
【００２９】
アナログオーディオＩ／Ｏ部１１６は、外部から入力されたアナログオーディオ信号をオーディオデータに変換する処理と、マイクロフォン部１０２又はＡＶデコーダ１０６から出力されたオーディオデータをアナログオーディオ信号に変換する処理とを行うユニットである。
【００３０】
（１）カメラモード
次に、図２のフローチャートを参照し、ＤＶＣ１０の動作モードがカメラモードである場合のＤＶＣ１０の動作の一例を説明する。
【００３１】
ステップＳ２０１：使用者が操作部１１３を操作してカメラモードをオンにすると、制御部１１４は、カメラモードの開始を各部に通知する。カメラ部１０１は、撮影映像からビデオデータを生成する処理を開始する。マイクロフォン部１０２は、入力音声からオーディオデータを生成する処理を開始する。表示部１０８は、カメラ部１０１から出力されたビデオデータを表示する処理を開始する。スピーカ部１０９は、マイクロフォン部１０２から出力されたオーディオデータを出力する処理を開始する。アナログビデオＩ／Ｏ部１１５は、カメラ部１０１から出力されたビデオデータをアナログビデオ信号に変換して外部に出力する処理を開始する。アナログオーディオＩ／Ｏ部１１６は、マイクロフォン部１０２から出力されたオーディオデータをアナログオーディオ信号に変換して外部に出力する処理を開始する。
【００３２】
ステップＳ２０２：ＡＶエンコーダ１０３は、カメラ部１０１から出力されたビデオデータをビデオＥＳにエンコードし、ビデオＥＳをビデオＰＥＳに変換する処理を開始するとともに、マイクロフォン部１０２から出力されたオーディオデータをオーディオＥＳにエンコードし、オーディオＥＳをオーディオＰＥＳに変換する処理を開始する。
【００３３】
ステップＳ２０３：ＰＥＳ／ＰＳ変換部１０４は、ＡＶエンコーダ１０３から出力されたビデオＰＥＳ及びオーディオＰＥＳをＭＰＥＧ−２ＰＳに変換する処理を開始する。一方、ＰＥＳ／ＴＳ変換部１１０は、ＡＶエンコーダ１０３から出力されたビデオＰＥＳ及びオーディオＰＥＳをＭＰＥＧ−２ＴＳに変換する処理を開始する。つまり、ＤＶＣ１０は、撮影映像及び入力音声からＭＰＥＧ−２ＰＳを生成する処理と、撮影映像及び入力音声からＭＰＥＧ−２ＴＳを生成する処理とを同時に実行することができる。デジタル通信部１１１は、ＰＥＳ／ＴＳ変換部１１０から出力されたＭＰＥＧ−２ＴＳを外部に出力する処理を開始する。記録再生部１０５は、記録開始の指示があるまでＭＰＥＧ−２ＰＳを記録媒体１０６に記録する処理を待機する。
【００３４】
ステップＳ２０４：制御部１１４は、操作部１１３のＲＥＣボタンが押されたか否かを判定する。ＲＥＣボタンが押されたことを検出した場合はステップＳ２０５に進む。
【００３５】
ステップＳ２０５：制御部１１４は、記録開始の指示を記録再生部１０５に通知する。記録再生部１０５は、ＰＥＳ／ＰＳ変換部１０４から出力されたＭＰＥＧ−２ＰＳを記録媒体１０６に記録する処理を開始する。
【００３６】
このように、第１の実施の形態のＤＶＣ１０によれば、撮影映像及び入力音声からＭＰＥＧ−２ＴＳ及びＭＰＥＧ−２ＰＳを生成し、生成したＭＰＥＧ−２ＴＳを外部に出力し、生成したＭＰＥＧ−２ＰＳを記録媒体１０６に記録することができる。
【００３７】
また、第１の実施の形態のＤＶＣ１０によれば、撮影映像及び入力音声からＭＰＥＧ−２ＰＳを生成する処理と、撮影映像及び入力音声からＭＰＥＧ−２ＴＳを生成する処理とを同時に実行することもできる。
【００３８】
（２）デジタル出力モード
次に、図３のフローチャートを参照し、ＤＶＣ１０の動作モードがデジタル出力モードである場合のＤＶＣ１０の動作の一例を説明する。
【００３９】
ステップＳ３０１：使用者が操作部１１３を操作してデジタル出力モードをオンにすると、制御部１１４は、デジタル出力モードの開始を各部に通知する。制御部１１４は、使用者の指示又はプレイリストに従って再生すべきＭＰＥＧ−２ＰＳを選択し、選択したＭＰＥＧ−２ＰＳを記録再生部１０５に通知する。記録再生部１０５は、制御部１１４から通知されたＭＰＥＧ−２ＰＳを記録媒体１０６から通常の速度で再生する。ＰＥＳ／ＰＳ変換部１０４は、記録再生部１０５から出力されたＭＰＥＧ−２ＰＳをビデオＰＥＳ及びオーディオＰＥＳに変換する。ＡＶデコーダ１０６は、ＰＥＳ／ＰＳ変換部１０４から出力されたビデオＰＥＳをビデオＥＳに変換し、そのビデオＥＳをビデオデータにデコードする処理を開始するとともに、ＰＥＳ／ＰＳ変換部１０４から出力されたオーディオＰＥＳをオーディオＥＳに変換し、そのオーディオＥＳをオーディオデータにデコードする処理を開始する。表示部１０８は、ＡＶデコーダ１０６から出力されたビデオデータを表示する処理を開始する。スピーカ部１０９は、ＡＶデコーダ１０６から出力されたオーディオデータを出力する処理を開始する。アナログビデオＩ／Ｏ部１１５は、ＡＶデコーダ１０６から出力されたビデオデータをアナログビデオ信号に変換して外部に出力する処理を開始する。アナログオーディオＩ／Ｏ部１１６は、ＡＶデコーダ１０６から出力されたオーディオデータをアナログオーディオ信号に変換して外部に出力する処理を開始する。
【００４０】
ステップＳ３０２：制御部１１４は、ＴＳ変換処理（ＭＰＥＧ−２ＰＳをＭＰＥＧ−２ＴＳに変換する処理）を禁止するか否かを判定する。第１の実施の形態では、記録再生部１０５から出力されたＭＰＥＧ−２ＰＳにＴＳ変換処理を禁止する付属情報が付加されている場合にＴＳ変換処理を禁止する。ＴＳ変換処理を禁止する場合はステップＳ３０３に進み、ＴＳ変換処理を禁止しない場合はステップＳ３０４に進む。
【００４１】
ステップＳ３０３：制御部１１４は、ＴＳ変換処理を禁止する。この場合、ＤＶＣ１０は、デジタル通信部１１１からヌルパケット（ペイロードがないパケット又はペイロードに無効なデータが格納されたパケット）を出力する。
【００４２】
ステップＳ３０４：制御部１１４は、ＴＳ変換処理を許可する。
【００４３】
ステップＳ３０５：制御部１１４は、暗号化処理（ＭＰＥＧ−２ＴＳを暗号化する処理）を実行するか否かを判定する。第１の実施の形態では、記録再生部１０５から出力されたＭＰＥＧ−２ＰＳに暗号化処理を要求する付属情報が付加されている場合に暗号化処理を実行する。暗号化処理を実行する場合にはステップＳ３０６に進み、暗号化処理を実行しない場合にはステップＳ３０７に進む。
【００４４】
ステップＳ３０６：ＰＥＳ／ＴＳ変換部１１０は、ＰＥＳ／ＰＳ変換部１０４から出力されたビデオＰＥＳ及びオーディオＰＥＳをＭＰＥＧ−２ＴＳに変換する処理を開始するとともに、ＭＰＥＧ−２ＴＳのペイロードを暗号化する処理を開始する。デジタル通信部１１１は、ＰＥＳ／ＴＳ変換部１１０で暗号化されたＭＰＥＧ−２ＴＳを外部に出力する処理を開始する。
【００４５】
ステップＳ３０７：ＰＥＳ／ＴＳ変換部１１０は、ＰＥＳ／ＰＳ変換部１０４から出力されたビデオＰＥＳ及びオーディオＰＥＳをＭＰＥＧ−２ＴＳに変換する処理を開始する。デジタル通信部１１１は、ＰＥＳ／ＴＳ変換部１１０から出力されたＭＰＥＧ−２ＴＳを外部に出力する処理を開始する。
【００４６】
ステップＳ３０８：制御部１１４は、次に再生すべきＭＰＥＧ−２ＰＳがあるか否かを判定する。使用者が次に再生すべきＭＰＥＧ−２ＰＳを指示した場合又はプレイリストにまだ再生されていないＭＰＥＧ−２ＰＳがある場合、制御部１１４は、次に再生すべきＭＰＥＧ−２ＰＳがあると判定する。次に再生すべきＭＰＥＧ−２ＰＳがある場合はステップＳ３０１に戻る。
【００４７】
このように、第１の実施の形態のＤＶＣ１０によれば、使用者の指示又はプレイリストに従って記録媒体１０６から再生されたＭＰＥＧ−２ＰＳをＭＰＥＧ−２ＴＳに変換して外部に出力することができる。
【００４８】
また、第１の実施の形態のＤＶＣ１０によれば、記録媒体１０６から再生されたＭＰＥＧ−２ＰＳのＴＳ変換が禁止されている場合、そのＭＰＥＧ−２ＰＳをＭＰＥＧ−２ＴＳに変換することを禁止することができる。この場合、ＤＶＣ１０は、デジタル通信部１１１からヌルパケット（ペイロードがないパケット又はペイロードに無効なデータが格納されたパケット）を出力することができる。
【００４９】
また、第１の実施の形態のＤＶＣ１０によれば、ＭＰＥＧ−２ＴＳを暗号化して出力することもできる。
【００５０】
なお、第１の実施の形態のＤＶＣ１０は、ＭＰＥＧ−２ＰＳを高速再生することも、スロー再生することも可能である。この場合、ＰＥＳ／ＴＳ変換部１１０は、ＭＰＥＧ−２ＰＳから飛び飛びに又は繰り返し得られたビデオＰＥＳをＭＰＥＧ−２ＴＳに変換すればよい。或いは、ＭＰＥＧ−２ＰＳから飛び飛びに又は繰り返し得られたＩピクチャを取り出し、取り出したＩピクチャからＭＰＥＧ−２ＴＳを生成してもよい。
【００５１】
（３）デジタル入力モード
次に、図４のフローチャートを参照し、ＤＶＣ１０の動作モードがデジタル入力モードである場合のＤＶＣ１０の動作の一例を説明する。
【００５２】
ステップＳ４０１：使用者が操作部１１３を操作してデジタル入力モードをオンにすると、制御部１１４は、デジタル入力モードの開始を各部に通知する。デジタル通信部１１１は、使用者によって選択されたＭＰＥＧ−２ＴＳを外部から入力する処理を開始する。
【００５３】
ステップＳ４０２：ＰＥＳ／ＴＳ変換部１１０は、デジタル通信部１１１から出力されたＭＰＥＧ−２ＴＳをビデオＰＥＳ及びオーディオＰＥＳに変換する処理を開始する。ＡＶデコーダ１０６は、ＰＥＳ／ＴＳ変換部１１０から出力されたビデオＰＥＳをビデオＥＳに変換し、そのビデオＥＳをビデオデータにデコードする処理を開始するとともに、ＰＥＳ／ＴＳ変換部１１０から出力されたオーディオＰＥＳをオーディオＥＳに変換し、そのオーディオＥＳをオーディオデータにデコードする処理を開始する。表示部１０８は、ＡＶデコーダ１０６から出力されたビデオデータを表示する処理を開始する。スピーカ部１０９は、ＡＶデコーダ１０６から出力されたオーディオデータを出力する処理を開始する。アナログビデオＩ／Ｏ部１１５は、ＡＶデコーダ１０６から出力されたビデオデータをアナログビデオ信号に変換して外部に出力する処理を開始する。アナログオーディオＩ／Ｏ部１１６は、ＡＶデコーダ１０６から出力されたオーディオデータをアナログオーディオ信号に変換して外部に出力する処理を開始する。
【００５４】
ステップＳ４０３：制御部１１４は、画素数（解像度ともいう）、フレームレート（１秒あたりのフレーム数）、圧縮率、サンプリング周波数、オーディオ符号化方式の少なくとも一つを変更する処理が必要があるか否かを判定する。使用者が予め画素数、フレームレート、圧縮率、サンプリング周波数、オーディオ符号化方式の少なくとも一つを変更する指示をＤＶＣ１０に入力していた場合、制御部１１４は、変更処理が必要であると判定する。変更処理が必要である場合はステップＳ４０４に進み、変更処理が必要でない場合はステップＳ４０６に進む。
【００５５】
ステップＳ４０４：画素数、フレームレート、圧縮率の少なくとも一つを変更する場合、ＡＶデコーダ１０６は、ビデオデータの画素数、フレームレート、圧縮率の少なくとも一つを変更する処理を開始する。一方、サンプリング周波数、オーディオ符号化方式の少なくとも一つを変更する場合、ＡＶデコーダ１０６は、オーディオデータのサンプリング周波数、オーディオ符号化方式の少なくとも一つを変更する処理を開始する。ＡＶエンコーダ１０３は、ＡＶデコーダ１０６から出力されたビデオデータをビデオＥＳに変換し、ビデオＥＳをビデオＰＥＳにエンコードする処理を開始するとともに、ＡＶデコーダ１０６から出力されたオーディオデータをオーディオＥＳに変換し、オーディオＥＳをオーディオＰＥＳにエンコードする処理とを開始する。
【００５６】
ステップＳ４０５：ＰＥＳ／ＰＳ変換部１０４は、ＡＶエンコーダ１０３から出力されたビデオＰＥＳ及びオーディオＰＥＳをＭＰＥＧ−２ＰＳに変換する処理を開始する。
【００５７】
ステップＳ４０６：ＰＥＳ／ＰＳ変換部１０４は、ＰＥＳ／ＴＳ変換部１１０から出力されたビデオＰＥＳ及びオーディオＰＥＳをＭＰＥＧ−２ＰＳに変換する処理を開始する。
【００５８】
ステップＳ４０７：制御部１１４は、ＲＥＣボタンが押されたか否かを判定する。ＲＥＣボタンが押されたことを検出した場合、ステップＳ４０８に進む。
【００５９】
ステップＳ４０８：制御部１１４は、記録開始の指示を記録再生部１０５に通知する。記録再生部１０５は、ＰＥＳ／ＰＳ変換部１０４から出力されたＭＰＥＧ−２ＰＳを記録媒体１０６に記録する処理を開始する。
【００６０】
このように、第１の実施の形態のＤＶＣ１０によれば、外部から入力されたＭＰＥＧ−２ＴＳをＭＰＥＧ−２ＰＳに変換して記録媒体１０６に記録することができる。
【００６１】
また、第１の実施の形態のＤＶＣ１０によれば、ＭＰＥＧ−２ＴＳをＭＰＥＧ−２ＰＳに変換して記録媒体１０６に記録する際にＭＰＥＧ−２ＴＳから得たビデオデータの画素数、フレームレート、圧縮率などを変更することができる。例えば、画素数を１９２０×１０８０ピクセルから７２０×４８０ピクセルに変更することも、フレームレートを６０Ｈｚから３０Ｈｚに変更することもできる。
【００６２】
また、第１の実施の形態のＤＶＣ１０によれば、ＭＰＥＧ−２ＴＳをＭＰＥＧ−２ＰＳに変換して記録媒体１０６に記録する際にＭＰＥＧ−２ＴＳから得たオーディオデータのサンプリング周波数、オーディオ符号化方式などを変更することができる。例えば、サンプリング周波数を４８ｋＨｚから３２ｋＨｚに変換することも、オーディオ符号化方式をＭＰＥＧ−２  Ａｕｄｉｏ  ＢＣからＭＰＥＧ−２  Ａｕｄｉｏ  ＡＡＣに変更することもできる。
【００６３】
（４）アナログ入力モード
次に、図５のフローチャートを参照し、ＤＶＣ１０の動作モードがアナログ入力モードである場合のＤＶＣ１０の動作の一例を説明する。
【００６４】
ステップＳ５０１：使用者が操作部１１３を操作してアナログ入力モードをオンにすると、制御部１１４は、アナログ入力モードの開始を各部に通知する。アナログビデオＩ／Ｏ部１１５は、外部から入力されたアナログビデオ信号をビデオデータに変換してＡＶエンコーダ１０３及び表示部１０８に出力する処理を開始する。アナログオーディオＩ／Ｏ部１１６は、外部から入力されたアナログオーディオ信号をオーディオデータに変換してＡＶエンコーダ１０３及びスピーカ部１０９に出力する処理を開始する。表示部１０８は、アナログビデオＩ／Ｏ部１１５から出力されたビデオデータを表示する処理を開始する。スピーカ部１０９は、アナログオーディオＩ／Ｏ部１１６から出力されたオーディオデータを出力する処理を開始する。
【００６５】
ステップＳ５０２：ＡＶエンコーダ１０３は、アナログビデオＩ／Ｏ部１１５から出力されたビデオデータをビデオＥＳにエンコードし、ビデオＥＳをビデオＰＥＳに変換する処理を開始するとともに、アナログオーディオＩ／Ｏ部１１６から出力されたオーディオデータをオーディオＥＳにエンコードし、オーディオＥＳをオーディオＰＥＳに変換する処理を開始する。
【００６６】
ステップＳ５０３：ＰＥＳ／ＰＳ変換部１０４は、ＡＶエンコーダ１０３から出力されたビデオＰＥＳ及びオーディオＰＥＳをＭＰＥＧ−２ＰＳに変換する処理を開始する。一方、ＰＥＳ／ＴＳ変換部１１０は、ＡＶエンコーダ１０３から出力されたビデオＰＥＳ及びオーディオＰＥＳをＭＰＥＧ−２ＴＳに変換する処理を開始する。つまり、ＤＶＣ１０は、アナログビデオ信号及びアナログオーディオ信号からＭＰＥＧ−２ＰＳを生成する処理と、アナログビデオ信号及びアナログオーディオ信号からＭＰＥＧ−２ＴＳを生成する処理とを同時に実行することができる。デジタル通信部１１１は、ＰＥＳ／ＴＳ変換部１１０から出力されたＭＰＥＧ−２ＴＳを外部に出力する処理を開始する。記録再生部１０５は、記録開始の指示があるまでＭＰＥＧ−２ＰＳを記録媒体１０６に記録する処理を待機する。
【００６７】
ステップＳ５０４：制御部１１４は、操作部１１３のＲＥＣボタンが押されたか否かを判定する。ＲＥＣボタンが押されたことを検出した場合はステップＳ５０５に進む。
【００６８】
ステップＳ５０５：制御部１１４は、記録開始の指示を記録再生部１０５に通知する。記録再生部１０５は、ＰＥＳ／ＰＳ変換部１０４から出力されたＭＰＥＧ−２ＰＳを記録媒体１０６に記録する処理を開始する。
【００６９】
このように、第１の実施の形態のＤＶＣ１０によれば、アナログビデオ信号及びアナログオーディオ信号からＭＰＥＧ−２ＴＳ及びＭＰＥＧ−２ＰＳを生成し、生成したＭＰＥＧ−２ＴＳを外部に出力し、生成したＭＰＥＧ−２ＰＳを記録媒体１０６に記録することができる。
【００７０】
また、第１の実施の形態のＤＶＣ１０によれば、アナログビデオ信号及びアナログオーディオ信号からＭＰＥＧ−２ＰＳを生成する処理と、アナログビデオ信号及びアナログオーディオ信号からＭＰＥＧ−２ＴＳを生成する処理とを同時に実行することもできる。
【００７１】
［他の実施の形態］
本発明は、第１の実施の形態に限るものではなく、他の実施の形態にも適用可能である。
【００７２】
例えば、本発明は、カメラ部１０１又はＡＶデコーダ１０６から出力されたビデオデータをＭＰＥＧ−２ＴＳに変換して外部に出力する前に、そのビデオデータにメニュー画面、警告マークなどの画像データを合成する形態にも適用可能である。
【図面の簡単な説明】
【００７３】
【図１】第１の実施の形態における撮像装置であるデジタルビデオカメラ１０の主要な構成要素を示す図である。
【図２】ＤＶＣ１０の動作モードがカメラモードである場合のＤＶＣ１０の動作の一例を説明するフローチャートである。
【図３】ＤＶＣ１０の動作モードがデジタル出力モードである場合のＤＶＣ１０の動作の一例を説明するフローチャートである。
【図４】ＤＶＣ１０の動作モードがデジタル入力モードである場合のＤＶＣ１０の動作の一例を説明するフローチャートである。
【図５】ＤＶＣ１０の動作モードがアナログ入力モードである場合のＤＶＣ１０の動作の一例を説明するフローチャートである。
【符号の説明】
【００７４】
１０  ＤＶＣ（デジタルビデオカメラ）
１０１  カメラ部
１０２  マイクロフォン部
１０３  ＡＶエンコーダ
１０４  ＰＥＳ／ＰＳ変換部
１０５  記録再生部
１０６  記録媒体
１０７  ＡＶデコーダ
１０８  表示部
１０９  スピーカ部
１１０  ＰＥＳ／ＴＳ変換部
１１１  デジタル通信部
１１２  メモリ
１１３  操作部
１１４  制御部
１１５  アナログビデオＩ／Ｏ部
１１６  アナログオーディオＩ／Ｏ部
【図１】
0004921440.tif 000002
【図２】
0004921440.tif 000003
【図３】
0004921440.tif 000004
【図４】
0004921440.tif 000005
【図５】
0004921440.tif 000006